(57)【要約】【課題】  ナビゲーション画面においてアルバム等の再生グループを容易に認識しかつ編集することができる「車載用電子システム」を提供する。【解決手段】  車載用ＡＶＮシステム１０は、ナビゲーション機能部２０と、オーディオ機能部３０と、ディスプレイと、複数のアルバムの再生順を決めた再生リストおよび再生リストに含まれるアルバムに固有のアルバム画像を記憶する記憶装置１２０と、再生リストを再生するとき、再生リストのアルバム画像を再生リストの再生順に対応した位置に含むオーディオ画面をナビゲーション画面の背景画として同時にディスプレイに表示する表示制御分６０と、表示されたアルバム画像に含まれる楽曲を再生する再生部９４とを有する。【選択図】  図１
2009041913.tif 000002
【特許請求の範囲】
【請求項１】
目的地までの道路地図情報を案内する機能を備えたナビゲーション手段と、
ディスプレイと、
ナビゲーション手段の実行により得られた道路地図情報をディスプレイに表示する道路地図情報表示手段と、
複数の楽曲をグループ化した再生グループを複数含みかつ複数の再生グループの再生順を決めた再生リストと、再生リストに含まれる複数の再生グループにそれぞれ対応する画像情報と、複数の再生グループに含まれる楽曲データを記憶する記憶手段と、
前記記憶手段に記憶された再生リストの再生を行うとき、当該再生リストの複数の再生グループの画像情報を、前記再生グループの再生順に対応したエリアに前記道路地図情報と同時にディスプレイに表示する再生グループ表示手段と、
ディスプレイに表示された再生グループに含まれる楽曲を再生する再生手段と、
を有する車載用電子システム。
【請求項２】
前記再生グループ表示手段は、前記複数の再生グループの画像情報を前記道路地図情報の背景画として表示する、請求項１に記載の車載用電子システム。
【請求項３】
前記道路地図情報は、自車位置マークを含み、自車位置マークと重複するエリアは、画像情報を再生する再生エリアである、請求項１に記載の車載用電子システム。
【請求項４】
自車位置マークが位置する道路の進行方向に位置するエリアは、次に画像情報の再生が予定されるエリアである、請求項３に記載の車載用電子システム。
【請求項５】
再生グループ表示手段は、再生グループの再生時間の経過に応じて画像情報をスクロールする、請求項１に記載の車載用電子システム。
【請求項６】
車載用電子システムはさらに、ユーザ入力に応答してディスプレイ上の画像情報が表示されるエリアを変更する変更手段と、画像情報が表示されるエリアの変更に応答して再生リストを更新する更新手段とを含む、請求項１に記載の車載用電子システム。
【請求項７】
前記変更手段は、画像情報が選択されたとき、当該選択された画像情報を再生エリアに移動する、請求項６に記載の車載用電子システム。
【請求項８】
ユーザ入力に応答してディスプレイ上に表示された画像情報が選択されたとき、前記再生グループ表示手段は、選択された再生グループに含まれる複数の楽曲の楽曲データを表示する、請求項１に記載の車載用電子システム。
【請求項９】
ユーザ入力に応答して前記複数の楽曲のいずれかが選択されたとき、前記再生手段は、当該選択された楽曲を再生する、請求項８に記載の車載用電子システム。
【請求項１０】
前記再生グループは、複数の楽曲をグループ化したアルバムであり、前記画像情報は、アルバム画像である、請求項１ないし９いずれか１つに記載の車載用電子システム。
【請求項１１】
車載用電子システムにおけるナビゲーション画面上での再生リストの表示方法であって、
複数の楽曲をグループ化した再生グループを複数含みかつ複数の再生グループの再生順を決めた再生リストと、再生リストに含まれる複数の再生グループにそれぞれ対応する画像情報と、複数の再生グループに含まれる楽曲データを記憶するステップと、
前記記憶された再生リストの再生を行うとき、当該再生リストの複数の再生グループの画像情報を、前記再生グループの再生順に対応したエリアにナビゲーション画面の背景画としてディスプレイに表示するステップと、
再生グループの再生時間の経過に応じて画像情報をスクロールさせるステップと、
を含む再生リストの表示方法。
【請求項１２】
ナビゲーション画面の自車位置マークと重複するエリアは、画像情報を再生する再生エリアである、請求項１１に記載の表示方法。
【請求項１３】
表示方法はさらに、ユーザ入力に応答してディスプレイ上の画像情報が表示されるエリアを変更するステップと、画像情報の表示されるエリアの変更に応答して再生リストを更新するステップとを含む、請求項１１に記載の表示方法。
【請求項１４】
車載用電子システムにおけるナビゲーション画面上での再生リストの表示プログラムであって、
複数の楽曲をグループ化した再生グループを複数含みかつ複数の再生グループの再生順を決めた再生リストと、再生リストに含まれる複数の再生グループにそれぞれ対応する画像情報と、複数の再生グループに含まれる楽曲データを記憶するステップと
前記記憶された再生リストの再生を行うとき、当該再生リストの複数の再生グループの画像情報を、前記再生グループの再生順に対応したエリアにナビゲーション画面の背景画としてディスプレイに表示するステップと、
再生グループの再生時間の経過に応じて画像情報をスクロールさせるステップと、
を含む再生リストの表示プログラム。
【発明の詳細な説明】
【技術分野】
【０００１】
本発明は、ナビゲーション機能およびオーディオ機能を備えた車載用電子システムに関し、特に、ナビゲーション画面上にオーディオ情報を表示しかつ操作する方法に関する。
【背景技術】
【０００２】
車載用電子装置として、ナビゲーション装置、オーディオデータを再生するオーディオ装置、およびビデオデータを再生するビジュアル装置が利用されている。これらの装置は、それぞれ単体として使用することが可能であるが、再生データのマルチメディア化に伴い、統合されたシステムとして使用されることが多くなっている。本明細書では、ナビゲーション装置、オーディオ装置およびビジュアル装置を結合したシステムを、便宜上、ＡＶＮ装置(Audio Visual Navigation)またはＡＶＮシステムと呼ぶこととする。
【０００３】
ＡＶＮシステムにより、各々の独立していた機能が統合され、それぞれの機能から提供される様々な情報は、１つの共用のディスプレイに出力される。例えば、ナビゲーション機能による提供された道路地図情報がディスプレイに表示されているとき、オーディオ機能によるオーディオ情報の表示または操作を行う場合には、ナビゲーション画面からオーディオ画面へ切替え、オーディオ情報の表示または操作を終了し、再びナビゲーション画面への切替えが行われる。
【０００４】
また特許文献１は、ナビゲーション画面に、オーディオファイルを同時に表示する車載システムを開示している。この文献によれば、再生リストの楽曲の再生が予定されている再生時間帯を算出し、再生時間帯に走行が予測される誘導経路上の区間を予測し、予測された誘導経路上の区間から吹出しの形態で楽曲のタイトルや再生時間帯などの情報を表示し、かつ再生リストの再編集を可能にしている。
【０００５】
【特許文献１】特開２００５−３７１４２号
【発明の開示】
【発明が解決しようとする課題】
【０００６】
従来のＡＶＮシステムでは、ナビゲーション画面上から楽曲のタイトルやアルバム名等を表示することは可能である。しかし、ナビゲーション画面上から、複数のアルバムを含む再生リストから所望のアルバムを選択してその内容を見たり、アルバムを再生する順序を変更することはできなかった。これを行うためには、ナビゲーション画面からオーディオ画面への切替えが必要であり、そのようなアルバムについての操作を行った後に、再びナビゲーション画面へ切換えさなければならず、操作が煩雑であった。
【０００７】
本発明は、上記従来の課題を解決し、道路交通情報を表示する画面上において再生グループの認識を容易にかつその編集を行うことができる車載用電子システムを提供することを目的とする。
【課題を解決するための手段】
【０００８】
本発明に係る車載用電子システムは、目的地までの道路地図情報を案内する機能を備えたナビゲーション手段と、ディスプレイと、ナビゲーション手段の実行により得られた道路地図情報をディスプレイに表示する道路地図情報表示手段と、複数の楽曲をグループ化した再生グループを複数含みかつ複数の再生グループの再生順を決めた再生リストと、再生リストに含まれる複数の再生グループにそれぞれ対応する画像情報と、複数の再生グループに含まれる楽曲データを記憶する記憶手段と、前記記憶手段に記憶された再生リストの再生を行うとき、当該再生リストの複数の再生グループの画像情報を、前記再生グループの再生順に対応したエリアに前記道路地図情報と同時にディスプレイに表示する再生グループ表示手段と、ディスプレイに表示された再生グループに含まれる楽曲を再生する再生手段とを有する。
【０００９】
好ましくは、前記再生グループ表示手段は、前記複数の再生グループの画像情報を前記道路地図情報の背景画として表示する。好ましくは、前記道路地図情報は、自車位置マークを含み、自車位置マークと重複するエリアは、画像情報を再生する再生エリアである。好ましくは、自車位置マークが位置する道路の進行方向に位置するエリアは、次に画像情報の再生が予定されるエリアである。好ましくは、再生グループ表示手段は、再生グループの再生時間の経過に応じて画像情報をスクロールする。
【００１０】
好ましくは車載用電子システムはさらに、ユーザ入力に応答してディスプレイ上の画像情報が表示されるエリアを変更する変更手段と、画像情報が表示されるエリアの変更に応答して再生リストを更新する更新手段とを含む。好ましくは、変更手段は、画像情報が選択されたとき、当該選択された画像情報を再生エリアに移動する。好ましくは、ユーザ入力に応答してディスプレイ上に表示された画像情報が選択されたとき、前記再生グループ表示手段は、選択された再生グループに含まれる複数の楽曲の楽曲データを表示する。好ましくは、ユーザ入力に応答して前記複数の楽曲のいずれかが選択されたとき、前記再生手段は、当該選択された楽曲を再生する。再生グループは、例えば、複数の楽曲をグループ化したアルバムであり、前記画像情報は、アルバム画像である。
【００１１】
本発明に係る車載用電子システムにおけるナビゲーション画面上での再生リストの表示方法またはプログラムは、複数の楽曲をグループ化した再生グループを複数含みかつ複数の再生グループの再生順を決めた再生リストと、再生リストに含まれる複数の再生グループにそれぞれ対応する画像情報と、複数の再生グループに含まれる楽曲データを記憶するステップと、前記記憶された再生リストの再生を行うとき、当該再生リストの複数の再生グループの画像情報を、前記再生グループの再生順に対応したエリアにナビゲーション画面の背景画としてディスプレイに表示するステップと、再生グループの再生時間の経過に応じて画像情報をスクロールさせるステップとを含む。
【発明の効果】
【００１２】
本発明によれば、道路地図情報と同時に再生リストの再生グループの画像情報をディスプレイに表示するようにしたので、ユーザは、走行中に、再生グループの再生順を一見して容易に確認することができる。さらに、道路地図情報の表示画面から、画像情報が表示されるエリアを変更することで、再生グループの再生順を簡単に変更することができる。さらに、道路地図情報の表示画面から、画像情報を選択することで、再生グループに含まれる楽曲データを簡単に閲覧することができる。この結果、従来のように、道路地図情報が表示された画面から他の画面への切換えを必要とせず、操作を簡単にすることができる。
【発明を実施するための最良の形態】
【００１３】
本発明の最良の実施の形態として、オーディオ機能、ビジュアル機能およびナビゲーション機能が統合された車載用ＡＶＮシステムについて図面を参照して詳細に説明する。
【実施例】
【００１４】
図１は、本発明の実施例に係るＡＶＮシステムの構成を示すブロック図である。ＡＶＮシステム１０は、自車位置から目的地までの経路を探索し、探索した経路を誘導する機能を備えたナビゲーション機能部２０と、オーディオデータを再生する機能を備えたオーディオ機能部３０と、ビデオデータを再生する機能を備えたビジュアル機能部４０と、オーディオ機能部３０によって再生されたオーディオデータをスピーカから出力する音声出力部５０と、ビジュアル機能部４０により再生されたビデオデータをディスプレイに表示する表示制御部６０と、遠隔操作用のリモコン、マウス、キーボードあるいはタッチパネル等の手段によりユーザからの入力を受け取る入力部７０と、プログラム等を実行し各部を制御するＣＰＵ８０と、種々のプログラムを記憶するプログラムメモリ９０と、データを一時的に記憶するデータメモリ１００と、外部のポータブルメディアを接続する外部インターフェース１１０と、ナビゲーションに必要な道路地図データベース、オーディオデータやビデオデータの再生に必要な再生情報等を記憶する記憶装置１２０と、各部を接続するシステムバス１３０とを含んで構成される。なお、図示しないが、ＡＶＮシステムは、地上波ディジタル受信機、ＡＭ・ＦＭラジオ受信機、さらには無線通信等により外部ネットワークに接続する通信機能を備えることが可能である。
【００１５】
ナビゲーション機能部２０は、公知のように、ＧＰＳ衛星や自立航法センサを利用して自車位置を算出し、記憶装置１２０に記憶された道路地図データベースから自車位置周辺の道路地図データを読み出し、これをディスプレイに表示させたり、自車位置から目的地までの探索された経路を道路地図上に表示し目的地までの経路誘導をする。
【００１６】
オーディオ機能部３０は、記憶装置１２０に記憶されたオーディオデータ、あるいは外部インターフェース１１０に接続されたポータブルメディアに記録されたオーディオデータを再生する。オーディオデータは、ＭＰ３、ＷＭＡ、その他の方式で圧縮されたものであってもよい。また、ポータブルメディアは、例えば、ＣＤ、ＤＶＤ、半導体メモリ、ＵＳＢメモリ、携帯電話、携帯端末装置等を含む。
【００１７】
ビジュアル機能部４０は、記憶装置１２０に記憶されたビデオデータ、あるいは外部インターフェース１１０に接続されたポータブルメディアに記録されたビデオデータを再生する。ビデオデータは、ＭＰ３、ＷＡＶ、その他の方式で圧縮されたものであってもよい。また、ポータブルメディアは、例えば、ＣＤ、ＤＶＤ、半導体メモリ、ＵＳＢメモリ、携帯電話、携帯端末装置等を含む。
【００１８】
表示制御部６０は、ナビゲーション機能部２０が実行されたとき、ディスプレイ上に自車位置周辺の道路地図データを表示する。また、後述するように、走行中に、すなわち、ナビゲーション機能部２０によるナビゲーション画面が表示されているとき、ユーザからの指示によりオーディオ機能部３０が動作された場合には、オーディオ情報の表示や操作を行うためのオーディオ画面を同時に表示する。例えば、表示制御部６０は、ナビゲーション画面を構成するレイヤの下にオーディオ画面とを構成するレイヤを合成し、オーディオ画面がナビゲーション画面の背景画となるように表示する。これにより、ナビゲーション画面に含まれる道路地図情報がオーディオ画面によって遮蔽されることはない。他方、オーディオ画面のレイヤをナビゲーション画面の上に重ねる場合には、オーディオ画面を透明な状態とし、オーディオ画面によってナビゲーション画面が遮蔽されないようにしてもよい。
【００１９】
プログラムメモリ９０は、記憶装置１２０からロードされたプログラムを記憶する。例えば、ナビゲーション機能部２０を実行するためのナビゲーションプログラム９２、オーディオ機能部３０を実行するためのオーディオ再生プログラム９４、ビジュアル機能部４０を実行するためのビデオ再生プログラム９６等を記憶する。
【００２０】
データメモリ１００は、記憶装置１２０から読み出された道路地図データ１０２、オーディオデータの再生に関するオーディオ再生情報１０４、ビデオデータの再生に関するビデオ再生情報１０６等を記憶する。
【００２１】
記憶装置１２０は、道路地図データベースやオーディオデータ再生情報１０４やビデオデータ再生情報１０６等を記憶する。ここでは、本実施例に特に関連するオーディオデータ再生情報１０４を詳細に説明する。図２にオーディオデータ再生情報のデータ構造の一例を示す。オーディオ再生情報１０４は、図２に示すように、複数の再生リスト＃１、＃２、・・・＃ｎを含むことができる。
【００２２】
１つの再生リストは、複数の楽曲をグループ化した再生グループの再生順を規定する。本実施例では、再生グループとしてアルバムを以下の例に用いる。アルバムは、例えば、１枚のＣＤやＤＶＤに与えられた名称または識別マークであり、言いかえれば、アルバムが異なれば、再生される楽曲が異なる。なお、再生グループは、このようなアルバムの他、例えば、ユーザが任意にグループ化した複数の楽曲の集まりであってもよい。図２の例では、再生リスト＃２は、アルバムＡ、Ｂ、Ｃ、・・・Ｎの再生順を規定している。
【００２３】
さらに、１つのアルバムは、アルバムに固有のアルバム画像データと、アルバムに含まれる複数の楽曲に関する楽曲データとを含む。アルバム画像データは、例えば、ＣＤに予め与えられたジャケット写真を用いることができる。また、他の画像をアルバムに関連付けして登録することも可能である。楽曲データは、オーディオデータ、楽曲のタイトル、楽曲の再生時間、演奏者等のデータとを含む。
【００２４】
再生リストは、ユーザが任意で、記憶装置１２０に記憶されているアルバムや楽曲に基づき作成することができる。あるいは外部インターフェース１１０に接続されたメディアに記憶されたアルバムや楽曲に基づき作成することができる。あるいは、ユーザが再生リストを作成しない場合は、アーティスト名やアルファベット順、更新日などから自動的に再生リストを作成するようにしてもよい。作成された再生リストは、記憶装置１２０に記憶され、その後、入力部７０を介して編集したり、削除することが可能である。
【００２５】
図３は、図１に示すオーディオ再生プログラムの機能ブロック図である。オーディオ再生プログラム９４は、図２に示す再生リストを作成する再生リスト作成部１４０と、作成された再生リストを記憶装置１２０に記憶する再生リスト記憶部１４２と、再生すべき再生リストを選択する再生リスト選択部１４４と、再生リストのアルバムに対応するアルバム画像データを含むオーディオ画面を生成するオーディオ画面生成部１４６と、生成されたオーディオ画面のレイヤをナビゲーション画面のレイヤに合成しオーディオ画面を表示するオーディオ画面表示部１４８と、ユーザからの入力に応じて再生リストの編集を行う再生リスト編集部１５０と、再生リストに従い楽曲を再生する再生部１５２とを含んでいる。
【００２６】
次に、ＡＶＮシステムにおけるオーディオ画面の表示動作について図４のフローを参照して説明する。ここでのオーディオ画面の表示は、ナビゲーション機能部２０の実行によりナビゲーション画面、すなわち自車位置周辺の道路地図情報がディスプレイに表示されているときに行われるものとする。先ず、再生リスト作成部１４０によって図２に示すような再生リストが作成される（ステップＳ２００）。再生リストが作成されると、再生リスト記憶部１４２は、作成された再生リストを記憶装置１２０に記憶する（ステップＳ２０１）。
【００２７】
ユーザからの指示に応答してオーディオ機能部３０が実行されると、再生リスト選択部１４４により、記憶装置１２０に記憶された複数の再生リストのいずれかが選択される（ステップＳ２０２）。この選択は、ユーザの指示によって行われても良いし、オーディオ再生の指示に応答して自動的に、例えば最新の再生リストを選択するようにしてもよい。
【００２８】
再生リストが選択されると、オーディオ画面生成部１４６は、選択された再生リストのアルバムに対応するアルバム画像データを含むオーディオ画面を生成する（ステップＳ２０３）。図５は、オーディオ画面の構成例を示す図である。オーディオ画面２００は、同図に示すように、矩形状の複数のエリア２１０、２１２、２１４、２１６、２１８、２２０に分割され、各エリアに対応するアルバム画像データが割り当てられる。この例では、オーディオ画面２００が６つのエリアに分割され、各エリアには、６つのアルバム画像データが表示される。
【００２９】
エリア２１０は、再生エリアであり、再生エリア２１０に表示されたアルバム画像データに対応するアルバムが再生される。エリア２１２〜２２０は、再生リストのアルバムの再生順に対応する。例えば、エリア２１２に表示されたアルバム画像データは、次に再生されるアルバムであり、再生エリア２１０のアルバムの再生が終了すると、エリア２１２のアルバム画像データが再生エリア２１０にスクロールされる。これに応じて、エリア２１４のアルバム画像データがエリア２１２へ移動し、同様に他のエリア２１６〜２２０に表示されたアルバム画像データも移動する。もし、再生リストが６つより多くのアルバムを含むならば、エリア２２０に７番目のアルバム画像データが表示される。破線２３０は、オーディオ画面の表示エリアであり、表示エリア２３０の外側はブランク２３２である。このブランク２３２は、アルバム画像データまたはオーディオ画面がスクロールされるときに表示される。
【００３０】
次に、オーディオ画面表示部１４８は、生成されたオーディオ画面をナビゲーション画面に合成して表示させる（ステップＳ２０４）。図６（ａ）は、オーディオ画面をナビゲーション画面に合成したときの表示例である。同図に示すように、ナビゲーション画面３００は、自車位置マークＭと、自車位置周辺の道路地図情報３０２を含んでいる。ここでは、ナビゲーション画面３００は、自車の進行方向が常に上を向くヘッドアップで表示されている。
【００３１】
オーディオ画面は、上記したように、複数のエリア２１０〜２２０にアルバムを対応したアルバム画像データを含み、これらのアルバム画像データは、道路地図情報の背景画として表示される。オーディオ画面２００の再生エリア２１０は、ナビゲーション画面上の自車位置マークＭに重複している。つまり、自車位置マークＭは、再生中のアルバムを指標することになる。図６（ａ）の表示例は、アルバム画像データＡ、Ｂ、Ｃ、Ｄ、Ｅ、Ｆを表示しており、自車位置マークＭに重複するアルバム画像データＥのアルバムが再生中であることを示している。また、次に再生されるアルバムは、再生エリア２１０に隣接するエリア２１２であり、このエリア２１２は、自車位置マークＭが存在する道路の進行方向に一致する。なお、再生エリア２１０をより分かり易くするため矩形状の枠で強調表示するようにしてもよい。
【００３２】
再生部１５０は、再生エリア２１０のアルバムに含まれる楽曲を再生する（ステップＳ２０５）。再生された楽曲のオーディオデータは、音声制御部５０を介してスピーカから出力される。再生部１５０により再生時間が経過すると、アルバムの残りの再生時間が減少する。オーディオ画面生成部１４８は、再生時間の経過に併せてオーディオ画面をスクロールさせ、アルバムの残りの再生時間があとどれくらいあるのかを表示する。
【００３３】
図６（ｂ）は、オーディオ画面のスクロール例である。図５（ａ）に示すように、アルバムの再生開始時、表示エリア２３０は、エリア２１０〜２２０に割り当てられたアルバム画像データをすべて表示している。再生時間の経過につれて、オーディオ画面生成部１４８は、図５（ｂ）に示すように、表示エリア２３０の位置を相対的に位置２３０ａに向けて移動させ、これによりオーディオ画面をスクロールさせる。このスクロールにより、自車位置マークＭに対するアルバム画像データの位置が可変し、これがアルバムの残りの再生時間の目安となる。図６（ｂ）に示すように、自車位置マークＭを指標に、再生エリア２１０のアルバムＥの再生終了が間近であり、次のアルバムＢの再生が直ぐであることを確認することができる。また、自車が走行していれば、道路地図情報も走行に応じてスクロールされる。
【００３４】
アルバムＥの再生が終了すると、アルバムＢが再生エリア２１０に突入し、アルバムＢに含まれる楽曲の再生が開始される。こうして、選択された再生リストに含まれるすべてのアルバムの再生が終了すると（ステップＳ２０７）、次の再生リストの再生を開始することができる。
【００３５】
次に、本実施例によるオーディオ画面の種々の表示態様および再生リストの編集について説明する。
（Ａ）再生リストの表示
図６（ａ）は、再生リストのアルバム画像の基本表示パターンである。上記したように、各アルバム画像データは、ナビゲーション画面３００上の道路地図３０２の背景として分割して表示され、再生エリア２１０は、自車位置マークＭと重複する位置に設定されている。自車位置マークＭは、アルバムの進行状態を示し、アルバムＥの再生時間の目安となる。さらに、自車位置マークＭは、その進行方向上にあるアルバムＢが次に再生されるアルバムであることを示す。図６（ｂ）は、再生中のアルバムが終盤にさしかかり、次に再生予定のアルバムに移り変わる直前の状態を示している。アルバムＥの再生時間とともにオーディオ画面がスクロールし、アルバムＥから次のアルバムＢに切り替わることになる。アルバムＢが再生されると、同様に、自車位置マークＭの進行方向上に次に再生予定のアルバムＡが表示される。アルバムの再生順は、再生リストにより予め決定されている。
【００３６】
図７（ａ）は、アルバム画像データの他の表示例である。図６に示す表示例では、再生エリア２１０が自車位置マークＭと一致していたが、図７（ａ）に示す表示例は、再生エリア２１０ａを自車位置マークＭの位置と異にし、自車位置周辺エリア３１０に隣接する図中右側の位置に再生エリア２１０ａを設定し、そこに再生中のアルバム画像データを表示する。つまり、自車位置周辺エリア３１０は、アルバム画像データを背景画に用いない通常の道路地図情報３０２を表示している。この場合、オーディオ画面において、自車位置周辺エリア３１０に対応するエリアはブランクとなる。自車位置周辺エリア３１０以外のエリアは、アルバム画像データが背景画として表示される。
【００３７】
次に再生予定のアルバムは、自車位置マークＭの進行方向、つまり自車位置周辺エリア３１０上に表示されているアルバム画像データＢである。再生エリア２１０ａと自車位置周辺エリア３１０とを別々に設定することで、自車位置週辺の道路地図が幾分見やすくなる効果がある。なお、図７の例では、自車位置周辺エリア３１０の大きさを、他の再生エリア２１０ａの大きさと同程度にしているが、自車位置周辺エリア３１０の大きさを再生エリア２１０ａよりも大きくしてもよい。また、自車位置周辺エリア３１０は、必ずしも矩形状であることを要しない。
【００３８】
図７（ａ）の表示中のアルバム画像データＥをユーザがマウスまたはタッチパネルにより選択すると、図７（ｂ）に示すように、アルバムに含まれるトラックリスト３２０が表示される。トラックリスト３２０は、楽曲の再生順、アルバムに含まれる楽曲の曲名（タイトル）、再生時間等を含んでいる。図７（ｂ）は、アルバムＥの楽曲＃１が再生中であることが示されている。好ましくは、現在再生中の楽曲がハイライトされ、その楽曲の再生時間等も併せて表示される。さらに、トラックリスト３２０からユーザが所望の楽曲を選択することで、その楽曲の再生を行うことができる。このように、アルバム画像を選択するだけで、ユーザは、アルバムの再生状態を確認することができる。また、再生リスト２１０ａ以外のアルバム画像データが選択された場合にも、当該アルバムのトラックリストを表示するようにしてもよい。
【００３９】
（Ｂ）再生リストの編集
次に、ナビゲーション画面上での再生リストの編集方法を示す。図８（ａ）は、図６（ａ）で示した再生エリア２１０が自車位置マークＭと一致する表示例である。この例では、アルバムＥが再生中であり、次にアルバムＢが再生される。ユーザは、アルバムの再生順を変更しようとする場合、アルバム画像データを移動（例えばドラッグアンドドロップの操作）させることができる。すなわち、オーディオ画面は、再生リストの編集を行うためのユーザインターフェースとして機能する。アルバム画像データの移動があったとき、再生リスト作成部１４０は、この移動に応じて再生リストを更新する。
【００４０】
図８（ｂ）は、アルバム画像を移動させたときの表示例である。図８（ａ）に示す表示例において、ユーザは、再生中のアルバムＥではなく、アルバムＡを聞きたい場合、アルバムＡをクリックまたはタッチして選択する。アルバムＡが選択されると、アルバムＡと再生中のアルバムＥとが入れ替わり、アルバムＡが再生エリア２１０へ移動し、アルバムＡの再生が開始される。この場合、再生リスト作成部１４０は、アルバムＡとアルバムＥの再生順を変更する。なお、アルバムＡを選択したとき、必ずしもアルバムＡとアルバムＥの再生順を交換するのではなく、アルバムＡの再生順をアルバムＥよりも先にするようにしてもよい。この場合、アルバムＥは、アルバムＡの次の再生予定位置に移動される。
【００４１】
図９は、他の再生リストの編集例であり、ここでは、道路地図情報の表示を省略してある。図９（ａ）は、図６（ａ）で示した基本表示パターンである。アルバムＥの再生中に、アルバムＣの１０番目の楽曲を聞きたい場合、アルバム画像Ｃをドラックアンドドロップ又はクリックし、図９（ｂ）に示すように、再生エリア２１０に移動させる。これにより、アルバムＥとアルバムＣの画像が入替わり、アルバムＣの先頭の楽曲から再生が開始される。ここで、アルバム画像Ｃをクリックすると、図９（ｃ）に示すように、アルバムＣのトラックリスト３２０が表示され、そこに含まれる１０番目の楽曲＃１０を選択することで、楽曲＃１０が再生される。楽曲＃１０番は、最後の曲であるため、図９（ｄ）に示すように、オーディオ画面がスクロールされ、アルバム画像Ｃの上部に自車位置マークＭが表示される。これにより、ユーザはアルバムＣがもうすぐ終了し、次にアルバムＢが再生されることを視覚的に判断できる。
【００４２】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００４３】
上記実施例では、楽曲を再生をする例を示したが、この場合には、ＡＶＮシステムは、必ずしもビジュアル機能部を必要としない。他方、本発明は、ビデオデータの再生にも適用可能であり、この場合にも上記と同様に、再生リストに含まれる再生グループに対応した画像情報をナビゲーション画面の背景画として表示すればよい。
【００４４】
上記実施例では、オーディオ画面を複数の矩形状のエリアに分割しそこにアルバム画像データを表示したが、必ずしもエリアは矩形状でなくてもよい。また、アルバム画像データは、２次元的な表示例を示したが、勿論、３次元的であってもよい。同様に、道路地図情報も３次元的な表示であってもよい。
【００４５】
さらに、再生リストを編集する際のアルバム画像データの移動方法は、上記した説明に限定されることなく、リモコン操作や他の操作によって移動させるようにしてもよい。また、上記実施例では、ナビゲーション画面は、道路地図情報に加えて他の情報を表示するものであってもよい。
【図面の簡単な説明】
【００４６】
【図１】本発明の実施例に係るＡＶＮシステムの構成を示すブロック図である。
【図２】記憶装置に記憶される再生情報のデータ構造の一例を説明する図である。
【図３】本実施例に係るオーディオ再生プログラムの機能ブロック図である。
【図４】本実施例によるオーディオ画面の表示動作を説明するフローチャートである。
【図５】オーディオ画面の構成例を示す図である。
【図６】図６（ａ）は、オーディオ画面とナビゲーション画面とを合成して表示した例、図６（ｂ）は、再生時間の経過とともにオーディオ画面をスクロールした例である。
【図７】本実施例に係る再生リストの他の表示例であり、図７（ａ）は自車位置マークの表示エリアと異なる位置に再生エリアを設定したときの表示例、図７（ｂ）はトラックリストの表示例である。
【図８】本実施例に係るナビゲーション画面上での再生リストの編集方法を示し、図８（ａ）はアルバム画像の移動前の状態を示し、図８（ｂ）はアルバム画像を再生エリアへ移動した状態を示す。
【図９】本実施例に係るナビゲーション画面上での再生リストの他の編集方法を示し、図９（ａ）はアルバム画像の移動前の状態を示し、図９（ｂ）はのアルバム画像を入替えた状態を示し、図９（ｃ）は再生リストのアルバム画像のトラックリストの表示例を示し、図９（ｄ）はアルバム画像がスクロールされた状態を示す。
【符号の説明】
【００４７】
１０：ＡＶＮシステム                ２０：ナビゲーション機能部
３０：オーディオ機能部              ４０：ビジュアル機能部
５０：音声出力部                    ６０：表示制御部
７０：入力部                        ８０：ＣＰＵ
９０：プログラムメモリ              ９４：オーディオ再生プログラム
１００：データメモリ                １０２：道路地図データ
１０４：オーディオデータ            １０６：再生リスト
２００：オーディオ画面              ２１０：再生エリア
２１２〜２２０：エリア              ２３０：表示エリア
３００：ナビゲーション画面          ３０２：道路地図
３２０：トラックリスト                  Ｍ：自車位置マーク
【図１】
2009041913.tif 000003
【図２】
2009041913.tif 000004
【図３】
2009041913.tif 000005
【図４】
2009041913.tif 000006
【図５】
2009041913.tif 000007
【図６】
2009041913.tif 000008
【図７】
2009041913.tif 000009
【図８】
2009041913.tif 000010
【図９】
2009041913.tif 000011